(57)【要約】【課題】設計の自由度や構成の簡素化を図った上で、上下方向に交差する方向に作用する外力に対して脚部とブラケットとの接続強度を確保できる天板付什器を提供する。【解決手段】本発明の一態様に係る天板付什器１は、脚本体７７を有する脚部４０と、脚本体７７の上端部が連結される嵌合凸部１４５を有するブラケット４３と、脚本体７７の側面に沿って上下方向に延在するとともに、上端部が脚本体７７から突出した状態で脚本体７７に固定された補助支持部４１と、ブラケット４３を介して脚部４０に支持された天板１１と、を備えている。ブラケット４３には、補助支持部４１が嵌合される嵌合凹部１４６が形成されている。【選択図】図６
2020116114.tif 000002
【特許請求の範囲】
【請求項１】
床面から上方に延びる脚本体を有する脚部と、
前記脚本体の上端部が連結される連結部を有するブラケットと、
前記脚本体の側面に沿って上下方向に延在するとともに、上端部が前記脚本体から突出した状態で前記脚本体に固定された補助支持部と、
前記ブラケットを介して前記脚部に支持された天板と、を備え、
前記ブラケットには、前記補助支持部が嵌合される第１嵌合凹部が形成されている天板付什器。
【請求項２】
前記脚本体及び前記連結部のうち、一方の部材は、他方の部材に向けて突出する嵌合凸部を備え、
前記他方の部材には、前記嵌合凸部が嵌合される第２嵌合凹部が形成されている請求項１に記載の天板付什器。
【請求項３】
前記嵌合凸部は、前記連結部に形成され、
前記第２嵌合凹部は、前記脚本体に形成され、
前記補助支持部及び前記脚本体を貫通して前記嵌合凸部に締結される第１締結部材をさらに備えている請求項２に記載の天板付什器。
【請求項４】
前記脚部は、前記補助支持部が嵌合される第３嵌合凹部を備えている請求項１から請求項３の何れか１項に記載の天板付什器。
【請求項５】
前記第３嵌合凹部は、側方に開口し、
前記脚部は、前記第３嵌合凹部を側方から閉塞するカバー部材を備え、
前記第３嵌合凹部内において、前記補助支持部と前記カバー部材との間には、上下方向に沿って配線が案内される請求項４に記載の天板付什器。
【請求項６】
前記補助支持部は、前記脚本体の側面における幅方向に広がる板状に形成されている請求項１から請求項５の何れか１項に記載の天板付什器。
【請求項７】
前記補助支持部は、
前記脚本体の側面に沿って上下方向に延びる縦支持部と、
前記縦支持部の上端部から屈曲された横支持部と、を備え、
前記第１嵌合凹部の頂壁部及び前記横支持部は、前記第１嵌合凹部内で第２締結部材により締結されている請求項１から請求項６の何れか１項に記載の天板付什器。
【発明の詳細な説明】
【技術分野】
【０００１】
本発明は、天板付什器に関する。
【背景技術】
【０００２】
天板付什器として、床面に設置される支持脚と、支持脚上に支持された天板と、を備える構成が知られている。
支持脚は、床面から起立する脚部と、脚部の上端部と天板の下面との間を接続するブラケットと、を備えている（例えば、下記特許文献１参照）。
【０００３】
下記特許文献１に記載の構成において、ブラケットは、脚部内に嵌合される嵌合部を備えている。嵌合部は、脚部内に嵌合された状態で、締結部材によって脚部に上下方向で固定されている。
【先行技術文献】
【特許文献】
【０００４】
【特許文献１】特許第５８４９６５３号公報
【発明の概要】
【発明が解決しようとする課題】
【０００５】
しかしながら、上述した従来技術にあっては、上下方向に交差する方向に作用する外力に対して脚部とブラケットとの接続強度を確保する点で未だ改善の余地があった。
【０００６】
本発明は、設計の自由度や構成の簡素化を図った上で、上下方向に交差する方向に作用する外力に対して脚部とブラケットとの接続強度を確保できる天板付什器を提供することを目的とする。
【課題を解決するための手段】
【０００７】
上記目的を達成するために、本発明の一態様に係る天板付什器は、床面から上方に延びる脚本体を有する脚部と、前記脚本体の上端部が連結される連結部を有するブラケットと、前記脚本体の側面に沿って上下方向に延在するとともに、上端部が前記脚本体から突出した状態で前記脚本体に固定された補助支持部と、前記ブラケットを介して前記脚部に支持された天板と、を備え、前記ブラケットには、前記補助支持部が嵌合される第１嵌合凹部が形成されている。
【０００８】
本態様によれば、脚部とブラケットとが脚部の延在方向（上下方向）に交差する方向に相対的に変位しようとする外力が作用した場合に、補助支持部によって脚部とブラケットとの相対変位を抑制できる。この際、補助支持部が嵌合によってブラケットに組み付けられるので、締結部分を増加して脚部とブラケットとの接続強度の向上を図る場合に比べて、設計の自由度や構成の簡素化を図った上で、脚部とブラケットとの接続強度を確保できる。その結果、天板を安定して支持できる。
【０００９】
上記態様の天板付什器において、前記脚本体及び前記連結部のうち、一方の部材は、他方の部材に向けて突出する嵌合凸部を備え、前記他方の部材には、前記嵌合凸部が嵌合される第２嵌合凹部が形成されていてもよい。
本態様によれば、補助支持部に加え、連結部と脚本体とが嵌合により組み付けられるので、脚部とブラケットとの接続強度をより一層高めることができる。
【００１０】
上記態様の天板付什器において、前記嵌合凸部は、前記連結部に形成され、前記第２嵌合凹部は、前記脚本体に形成され、前記補助支持部及び前記脚本体を貫通して前記嵌合凸部に締結される第１締結部材をさらに備えていてもよい。
本態様によれば、脚部とブラケットとの接続強度をより一層高めることができる。
しかも、本態様では、ブラケットの連結部に形成された嵌合凸部が脚本体に形成された第２嵌合凹部に嵌合される構成であるため、補助支持部及び脚本体の双方がブラケットに嵌合される構成に比べて嵌合部分同士を接近させることができる。その結果、ブラケットの小型化を図ることができる。
【００１１】
上記態様の天板付什器において、前記脚部は、前記補助支持部が嵌合される第３嵌合凹部を備えていてもよい。
本態様によれば、補助支持部と脚部との接続強度を確保できる。そのため、天板をより安定して支持できる。また、補助支持部が外部に露出し難くなるので、天板付什器の体裁を向上させることができる。
【００１２】
上記態様の天板付什器において、前記第３嵌合凹部は、側方に開口し、前記脚部は、前記第３嵌合凹部を側方から閉塞するカバー部材を備え、前記第３嵌合凹部内において、前記補助支持部と前記カバー部材との間には、上下方向に沿って配線が案内されてもよい。
本態様によれば、補助支持部の嵌合凹部を配線の配索スペースとしても利用できる。これにより、構成の簡素化を図った上で、天板付什器の体裁を向上させることができる。
【００１３】
上記態様の天板付什器において、前記補助支持部は、前記脚本体の側面における幅方向に広がる板状に形成されていてもよい。
本態様によれば、例えば補助支持部を棒状等に形成する場合に比べて、脚部とブラケットとが上下方向に交差する方向に相対的に変位しようとする外力を分散して支持し易くなる。
【００１４】
上記態様の天板付什器において、前記補助支持部は、前記脚本体の側面に沿って上下方向に延びる縦支持部と、前記縦支持部の上端部から屈曲された横支持部と、を備え、前記第１嵌合凹部の頂壁部及び前記横支持部は、前記第１嵌合凹部内で第２締結部材により締結されていてもよい。
本態様によれば、ブラケットと補助支持部との接続強度を確保できる。そのため、天板をより安定して支持できる。
しかも、第１嵌合凹部内で補助支持部がブラケットに固定されるので、第１嵌合凹部とは別に締結箇所を設ける場合に比べてブラケットの小型化を図ることができる。
【発明の効果】
【００１５】
上記各態様によれば、設計の自由度や構成の簡素化を図った上で、上下方向に交差する方向に作用する外力に対して脚部とブラケットとの接続強度を確保できる。
【図面の簡単な説明】
【００１６】
【図１】実施形態に係る天板付什器の斜視図である。
【図２】実施形態に係る支持構造体の斜視図である。
【図３】実施形態に係る支持脚の上部及びコーナー部材を示す分解斜視図である。
【図４】実施形態に係る支持脚の分解斜視図である。
【図５】図３のＶ−Ｖ線に沿う断面図である。
【図６】図３のＶＩ−ＶＩ線に沿う断面図である。
【発明を実施するための形態】
【００１７】
次に、本発明の実施形態を図面に基づいて説明する。以下の説明において、床面Ｆに直交する方向を上下方向（矢印ＵＰが上側）とし、上下方向に直交する２方向をそれぞれ前後方向（矢印ＦＲが前側）及び左右方向（矢印ＬＨが左側）として説明する。
【００１８】
［天板付什器］
図１は、天板付什器１の斜視図である。
図１に示すように、本実施形態の天板付什器１は、例えばオフィスや公共施設の会議室等に設置されたテーブルである。天板付什器１は、天板１１と、支持構造体１２と、を備えている。
【００１９】
＜天板＞
天板１１は、平面視において例えば左右方向を長手方向とする長方形状とされている。天板１１には、天板１１上に載置される電子機器の配線を天板１１の下方に導く配線挿通孔２３が形成されている。配線挿通孔２３は、配線カバー２４によって開閉可能に構成されている。なお、天板１１の下方において、配線挿通孔２３を下方から覆う配線ダクト等が設けられていてもよい。天板１１のサイズや平面視形状等は、適宜変更が可能である。この場合、天板１１は、１枚の板材により構成されていてもよく、複数枚以上の板材が突き合わされて構成されていてもよい。
【００２０】
＜支持構造体＞
図２は、支持構造体１２の斜視図である。
図２に示すように、支持構造体１２は、外周フレーム２０と、複数の支持脚２１と、を備えている。
外周フレーム２０は、天板１１の外形よりも一回り小さい枠状に形成されている。外周フレーム２０は、天板１１の外周縁よりも内側に位置する部分で、天板１１の下面に固定されている。
【００２１】
外周フレーム２０は、上述したように天板１１の外形よりも一回り小さい枠状に形成されている。具体的に、外周フレーム２０は、短辺杆２５と、長辺杆２６と、コーナー部材２７と、を備えている。
【００２２】
短辺杆２５は、天板１１下方における左右両側において、前後方向に延在している。各短辺杆２５は、例えば前後方向に延びる角筒状に形成されている。短辺杆２５は、締結部材によって天板１１の下面に固定される。
長辺杆２６は、天板１１下方における前後両側において、左右方向に延在している。長辺杆２６は、例えば左右方向に延びる角筒状に形成されている。長辺杆２６は、締結部材によって天板１１の下面に固定される。
【００２３】
図３は、支持脚２１の上部及びコーナー部材２７を示す分解斜視図である。
図３に示すように、コーナー部材２７は、外周フレーム２０の各角部において、短辺杆２５及び長辺杆２６同士を接続している。コーナー部材２７は、平面視でＬ字状に形成されている。具体的に、コーナー部材２７は、脚接続部３０と、第１杆接続部３１と、第２杆接続部３２と、を備えている。
【００２４】
脚接続部３０は、直方体形状に形成されている。脚接続部３０には、上方に向けてボス部３５が突出している。
第１杆接続部３１は、脚接続部３０から前後方向の内側（前後方向において天板付什器１の中心に向かう方向）に突出している。第１杆接続部３１は、短辺杆２５内に挿入されている。
第２杆接続部３２は、脚接続部３０から左右方向の内側（左右方向において天板付什器１の中心に向かう方向）に突出している。第２杆接続部３２は、長辺杆２６内に挿入されている。なお、短辺杆２５及び第１杆接続部３１同士、並びに第２杆接続部３２及び長辺杆２６同士は、それぞれ締結や溶接等によって接続されている。
【００２５】
＜支持脚＞
図２に示すように、支持脚２１は、外周フレーム２０の各角部において、天板１１及びコーナー部材２７に接続されている。なお、各支持脚２１は、何れも同様の構成であるため、以下の説明では一の支持脚２１を例にして説明する。
【００２６】
図４は、支持脚２１の分解斜視図である。
図４に示すように、支持脚２１は、脚部４０と、補助支持部４１と、カバー部材４２と、ブラケット４３と、を備えている。なお、本実施形態において、脚部４０、補助支持部４１、カバー部材４２及びブラケット４３は、それぞれ金属材料により形成されている。但し、脚部４０の構成部材は、金属材料に限らず、木材や石材等を適宜選択してもよい。
【００２７】
＜脚部＞
図２、図３に示すように、脚部４０は、床面Ｆから上方に起立している。本実施形態において、脚部４０は、下方に向かうに従い隣り合う支持脚２１から離間する方向に延在している。なお、以下の説明では、水平方向のうち、脚部４０が傾斜する方向をＸ方向といい、Ｘ方向に直交する方向をＹ方向という場合がある。
【００２８】
図５は、図３のＶ−Ｖ線に沿う断面図である。
図３、図５に示すように、脚部４０は、水平方向に沿う断面視（横断面視）において、−Ｘ側に突の半長円の筒状に形成されている。脚部４０は、横断面視における外形が下方に向かうに従い漸次縮小している。脚部４０は、外装部５１と、内装部５２と、上端キャップ５３（図６参照）と、を備えている。なお、脚部４０の横断面視形状は、矩形状や円形状、三角形状等、適宜変更が可能である。
【００２９】
図５に示すように、外装部５１は、横断面視において、＋Ｘ側に開口するＵ字状に形成されている。具体的に、外装部５１は、Ｙ方向で対向する外装側壁５５と、外装側壁５５の−Ｘ側端部同士を接続する外向壁部５６と、を備えている。
外装側壁５５は、横断面視において、Ｘ方向に延びる直線状に形成されている。外装側壁５５における＋Ｘ側端部には、外装部５１の内側に張り出す外装フランジ部５７が形成されている。なお、支持脚２１は、外装部５１の下端に設けられたアジャスタ５９（図２参照）を介して床面Ｆに設置されている。
外向壁部５６は、横断面視において−Ｘ側に向けて突の円弧状に形成されている。
【００３０】
内装部５２は、外装部５１内において、外装部５１の上下方向の全長に亘って配置されている。内装部５２は、横断面視において、＋Ｘ側に開口するＣ字状に形成されている。具体的に、内装部５２は、Ｙ方向で対向する内装側壁６１と、内装側壁６１の−Ｘ側端部同士を接続する内装接続壁６２と、を備えている。
【００３１】
内装側壁６１は、外装側壁５５の内面のうち、＋Ｘ側端部に沿って配置されている。内装側壁６１における＋Ｘ側端部には、外装フランジ部５７に沿って延びる内装フランジ部６５が形成されている。内装部５２は、内装側壁６１及び外装側壁５５同士、又は外装フランジ部５７及び内装フランジ部６５同士が、溶接等されることで、外装部５１に接続されている。
【００３２】
内装接続壁６２は、横断面視において、Ｙ方向に延びる直線状に形成されている。図４に示すように、内装接続壁６２におけるＹ方向の両端部には、係止孔６７が形成されている。左右の係止孔６７は、上下方向で対応する位置に、間隔をあけて複数形成されている。
【００３３】
図６は、図３のＶＩ−ＶＩ線に沿う断面図である。
図６に示すように、内装接続壁６２の上端部には、貫通孔（第１貫通孔７１、第２貫通孔７２及び第３貫通孔７３）が形成されている。第１貫通孔７１、第２貫通孔７２及び第３貫通孔７３は、上方から下方に向けてこの順に並んでいる。内装接続壁６２の内面において、第２貫通孔７２及び第３貫通孔７３に対応する位置には、ナット７５がそれぞれ設けられている。ナット７５は、内装接続壁６２の内面に溶接等により接続されている。
【００３４】
図５に示すように、本実施形態では、脚部４０のうち、各外装側壁５５の−Ｘ側部分５５ａ、外向壁部５６及び内装接続壁６２は、横断面視で半長円形状の脚本体７７を構成している。すなわち、内装接続壁６２は、脚本体７７のうち＋Ｘ側に位置する内向壁部を構成している。したがって、本実施形態の脚部４０は、脚本体７７の内向壁部（内装接続壁６２）が外装側壁５５の＋Ｘ側部分５５ｂ（内装側壁６１）によってＹ方向の両側から囲まれている。
【００３５】
一方、本実施形態では、脚部４０のうち、内装接続壁６２、各外装側壁５５の＋Ｘ側部分５５ｂ（内装側壁６１）及び外装フランジ部５７（内装フランジ部６５）は、横断面視で＋Ｘ側に開口する配線ガイド（第３嵌合凹部）７８を構成している。配線ガイド７８は、脚本体７７に対して＋Ｘ側で配線Ｃを上下方向に案内する。
【００３６】
図６に示すように、上端キャップ（第２嵌合凹部）５３は、上方に開口する箱型に形成されている。上端キャップ５３は、脚本体７７の上端開口部内に嵌め込まれている。なお、上端キャップ５３は、周壁部において脚本体７７の内面に溶接等により接続されている。本実施形態において、上端キャップ５３の上端縁と、脚本体７７の上端縁と、は面一に配置されていることが好ましい。
【００３７】
上端キャップ５３の底壁部８１には、貫通孔８２が形成されている。貫通孔８２は、Ｘ方向に間隔をあけて形成されている。底壁部８１の下面のうち、貫通孔８２に対応する位置には、ナット８３が設けられている。
また、上端キャップ５３の周壁部のうち、＋Ｘ側に位置する内側側壁８５は、内装接続壁６２の内面に沿って配置されている。内側側壁８５において、上述した第１貫通孔７１とＸ方向から見て重なり合う位置には、連通孔８７が形成されている。
【００３８】
＜補助支持部＞
図４、図６に示すように、補助支持部４１は、配線ガイド７８内に嵌合されている。補助支持部４１は、脚部４０とブラケット４３とを接続する。補助支持部４１は、上下方向に沿う断面視（縦断面視）でＬ字状に形成されている。具体的に、補助支持部４１は、縦支持部９１と、横支持部９２と、を備えている。なお、補助支持部４１は、嵌合に限らず、挿入等によって配線ガイド７８内に配置されていてもよい。また、補助支持部４１の縦断面視形状は、Ｌ字状に限られない。
【００３９】
縦支持部９１は、内装接続壁６２の外面に沿って上下方向に延在している。縦支持部９１は、Ｙ方向を幅方向として広がる板状に形成されている。縦支持部９１は、複数のボルト１００によって内装接続壁６２に着脱可能に固定されている。具体的に、縦支持部９１には、ボルト収容孔（第１ボルト収容孔９５、第２ボルト収容孔９６及び第３ボルト収容孔９７）が形成されている。第１ボルト収容孔９５、第２ボルト収容孔９６及び第３ボルト収容孔９７は、上述した第１貫通孔７１〜第３貫通孔７３に対応して、上方から下方にかけてこの順で形成されている。本実施形態のボルト収容孔９５〜９７は、段付き形状に形成されている。
【００４０】
上述した複数のボルト１００のうち、一のボルト１００は、第２ボルト収容孔９６及び第２貫通孔７２を通じて脚本体７７内において、ナット７５に螺着されている。また、他のボルト１００は、第３ボルト収容孔９７及び第３貫通孔７３を通じて脚本体７７内において、ナット７５に螺着されている。これにより、補助支持部４１は、脚本体７７における＋Ｘ側を向く側面（内装接続壁６２の外面）に沿って固定される。この場合、補助支持部４１は、上端部（第１ボルト収容孔９５よりも上方に位置する部分）が脚部４０から上方に突出した状態で、脚本体７７に固定される。なお、補助支持部４１は、溶接等によって脚本体７７に接続されていてもよい。また、本実施形態において、各ボルト１００の頭部は、対応するボルト収容孔９６，９７の大径部内に収容されている。
【００４１】
図５、図６に示すように、縦支持部９１におけるＹ方向の両端縁には、＋Ｘ側に張り出す縦スペーサ部１０８が形成されている。縦スペーサ部１０８は、内装側壁６１の内面に沿って配置されている。縦スペーサ部１０８の先端部（＋Ｘ側端部）は、内装フランジ部６５の内面に近接又は当接している。
【００４２】
図６に示すように、横支持部９２は、縦支持部９１の上端部から＋Ｘ側に屈曲されている。横支持部９２には、横支持部９２を上下方向に貫通する貫通孔１１０が形成されている。貫通孔１１０は、Ｙ方向に間隔をあけて複数形成されている。
【００４３】
横支持部９２におけるＹ方向の両端縁には、下方に張り出す横スペーサ部１１１が形成されている。横スペーサ部１１１は、縦スペーサ部１０８の上端部に連なっている。横スペーサ部１１１の下端縁は、脚部４０（フランジ部５７，６５）の上端縁に上方から近接又は当接している。すなわち、横スペーサ部１１１は、脚部４０に対する補助支持部４１の上下方向の位置決め部材としても機能する。
【００４４】
このように、補助支持部４１は、縦支持部９１及び縦スペーサ部１０８によって横断面視が＋Ｘ側に開口するＣ字状に形成されている。また、補助支持部４１は、横支持部９２及び横スペーサ部１１１によって縦断面視が下方に開口するＣ字状に形成されている。したがって、補助支持部４１の小型化を図った上で、強度や剛性を確保し易くなる。
【００４５】
＜カバー部材＞
図４〜図６に示すように、カバー部材４２は、配線ガイド７８を＋Ｘ側から閉塞している。カバー部材４２は、板材のＹ方向の両端部が折り曲げられた構成である。具体的に、カバー部材４２は、カバー本体１２０と、取付片１２１と、を備えている。
【００４６】
カバー本体１２０は、配線ガイド７８（外装部５１）の＋Ｘ側開口面に沿って上下方向に延びる帯状に形成されている。カバー本体１２０の上下方向の長さは、脚部４０の長さよりも短くなっている。この場合、配線ガイド７８の＋Ｘ側開口部のうち、カバー本体１２０よりも上方に位置する部分は、上側配線挿入口１２３（図６参照）を構成している。一方、配線ガイド７８の＋Ｘ側開口部のうち、カバー本体１２０よりも下方に位置する部分は、下側配線挿入口１２５（図２参照）を構成している。各配線挿入口１２３，１２５は、カバー部材４２の装着時において、配線ガイド７８の内外を連通している。
【００４７】
本実施形態の天板付什器１において、配線挿通孔２３を通じて天板１１の下方に引き回された配線Ｃは、上側配線挿入口１２３を通じて配線ガイド７８内に進入する。配線ガイド７８内に進入した配線Ｃは、補助支持部４１とカバー部材４２との間を通って配線ガイド７８内を下方に案内される。配線Ｃは、下側配線挿入口１２５を通じて配線ガイド７８内から床面Ｆ上に引き出された後、外部電源等に接続される。
【００４８】
図４、図５に示すように、取付片１２１は、カバー本体１２０におけるＹ方向の両端部から−Ｘ側に延在している。各取付片１２１には、係止爪１２２が突出している。係止爪１２２は、Ｙ方向から見た側面視でＬ字状に形成されている。具体的に、係止爪１２２は、取付片１２１から−Ｘ側に延在した後、下方に延在している。係止爪１２２は、各取付片１２１において、上下方向で間隔をあけて形成されている。カバー部材４２は、各係止爪１２２が対応する係止孔６７内に係止されることで、内装接続壁６２に装着されている。この場合、カバー本体１２０の外面は、カバー部材４２の装着時において、外装フランジ部５７の外面と面一に配置されていることが好ましい。なお、図４に示すように、取付片１２１の上端部には、上述した補助支持部４１との干渉を避ける逃げ部１２６が形成されている。
【００４９】
＜ブラケット＞
図３に示すように、ブラケット４３は、脚部４０の上端部に設けられている。ブラケット４３は、脚部４０と外周フレーム２０の角部同士、及び脚部４０と天板１１同士をそれぞれ接続している。具体的に、ブラケット４３は、ベース部１３０と、フレーム取付部１３１と、脚取付部１３２と、を備えている。
【００５０】
ベース部１３０は、平面視において、−Ｘ側を頂部とする略五角形状に形成されている。ベース部１３０の外周部分には、複数の貫通孔１３５が形成されている。ベース部１３０は、貫通孔１３５を通じて下方から締結部材（不図示）が挿通されることで、天板１１の下面に固定されている。
【００５１】
図４、図６に示すように、フレーム取付部１３１は、ベース部１３０から＋Ｘ側に突出している。フレーム取付部１３１には、下方に開口するボス収容部１４０が形成されている。フレーム取付部１３１には、ボス収容部１４０内に連通する挿通孔１４１が形成されている。上述したコーナー部材２７は、ボス収容部１４０内に脚接続部３０のボス部３５が収容された状態で、挿通孔１４１を通じて脚接続部３０に上方からボルト１４２が締結されることで、フレーム取付部１３１に固定されている。なお、本実施形態において、ボルト１４２の頭部は、天板１１に形成された頭部収容部１４３内に収容されていてもよい。
【００５２】
脚取付部１３２は、ベース部１３０の中央部から下方に向けて膨出している。具体的に、脚取付部１３２は、台座部１４４と、嵌合凸部（連結部）１４５と、嵌合凹部（第１嵌合凹部）１４６と、を備えている。
台座部１４４における＋Ｘ側を向く面は、上述した脚接続部３０を避ける逃げ面１４４ａを構成している。逃げ面１４４ａは、−Ｘ側に凸の円弧状に形成されている。
【００５３】
図６に示すように、嵌合凸部１４５は、台座部１４４における−Ｘ側に位置する部分から下方に膨出している。嵌合凸部１４５は、底面が上述した上端キャップ５３の底壁部８１に近接又は当接した状態で、上端キャップ５３内に嵌合されている。なお、嵌合凸部１４５が上端キャップ５３内に嵌合された状態において、台座部１４４の下面が脚部４０の上端縁に上方から近接又は当接している。また、嵌合凸部１４５は、上端キャップ５３内に収容される構成であればよい。
【００５４】
嵌合凸部１４５の底壁部には、貫通孔１５０が形成されている。貫通孔１５０は、上述した貫通孔８２と平面視で重なり合う位置で、Ｘ方向に並んで複数設けられている。貫通孔１５０の上端部は、上方に向かうに拡径されたテーパ状に形成されている。貫通孔１５０内には、皿ねじ１５１が挿通されている。皿ねじ１５１は、貫通孔１５０及び貫通孔８２を通じてナット８３に螺着されている。なお、本実施形態において、皿ねじ１５１の頭部は、貫通孔１５０の上端部内に収容されている。但し、貫通孔１５０の内径は、全体に亘って一様であってもよい。また、皿ねじ１５１に限らず、種々の締結部材を用いてもよい。
【００５５】
嵌合凸部１４５のうち、＋Ｘ側に位置する側壁部１５２には、雌ねじ孔１５３が形成されている。雌ねじ孔１５３は、Ｘ方向から見た正面視で第１貫通孔７１と重なり合っている。雌ねじ孔１５３には、ボルト（第１締結部材）１５６が螺着されている。具体的に、ボルト１５６は、第１ボルト収容孔９５及び第１貫通孔７１を通じて＋Ｘ側から挿通された後、雌ねじ孔１５３に螺着されている。すなわち、ボルト１５６は、脚部４０、補助支持部４１及びブラケット４３を共締めしている。また、本実施形態の嵌合凸部１４５は、皿ねじ１５１及びボルト１５６によって上下方向及びＸ方向で脚部４０に固定されている。なお、ボルト１５６の頭部は、第１貫通孔７１の大径部内に収容される。このように、ボルト１００，１５６の頭部が、対応する貫通孔７１〜７３内に収容されることで、配線ガイド７８内において、ボルト１００，１５６と配線Ｃとの干渉が抑制される。
【００５６】
嵌合凹部１４６は、台座部１４４のうち、嵌合凸部１４５に対して＋Ｘ側に位置している。嵌合凹部１４６は、下方に開口している。嵌合凹部１４６内には、上述した補助支持部４１の上端部が嵌合されている。具体的に、補助支持部４１は、横支持部９２の上面が嵌合凹部１４６の頂面に近接又は当接した状態で、縦支持部９１及び横スペーサ部１１１の外面が嵌合凹部１４６の内周面に嵌合されている。
【００５７】
嵌合凹部１４６の頂壁部において、上述した貫通孔１１０と平面視で重なり合う位置には、貫通孔１５８が形成されている。貫通孔１１０，１５８内には、下方からボルト（第２締結部材）１６０が挿通されている。ボルト１６０は、貫通孔１１０，１５８内を通じて天板１１に締結されている。すなわち、ボルト１６０は、補助支持部４１、ブラケット４３及び天板１１に共締めされている。なお、ボルト１６０の頭部は、嵌合凹部１４６内に収容されている。
【００５８】
このように、本実施形態の補助支持部４１は、脚本体７７における＋Ｘ側を向く側面、及び嵌合凹部１４６の内面のうち＋Ｘ側を向く側面に沿って脚部４０及びブラケット４３間を架け渡している。
【００５９】
＜支持脚の組立方法＞
次に、上述した支持脚２１の組立方法について説明する。
まず、脚部４０と補助支持部４１とを連結する。具体的には、補助支持部４１の下端部を配線ガイド７８内に嵌合させた後、ボルト収容孔９６，９７を通じてボルト１００を挿通させる。ボルト１００がナット７５に螺着されることで、補助支持部４１が脚部４０に固定される。
【００６０】
次に、脚部４０とブラケット４３とを組み付ける。具体的には、ブラケット４３の嵌合凸部１４５を上端キャップ５３内に嵌合させるとともに、補助支持部４１の上端部を嵌合凹部１４６内に嵌合させる。続いて、補助支持部４１とブラケット４３同士、並びに脚部４０とブラケット４３同士をそれぞれ連結する。なお、配線ガイド７８内に配線Ｃを配索する場合には、カバー部材４２を取り外した状態で配線ガイド７８内に配線Ｃを通し、その後カバー部材４２によって配線ガイド７８を閉塞する。
以上により、支持脚２１が組み立てられる。
【００６１】
このように、本実施形態では、補助支持部４１が脚本体７７の側面に沿って配置されるとともに、嵌合凹部１４６内に嵌合される構成とした。
この構成によれば、脚部４０とブラケット４３とがＸ方向に相対的に変位しようとする外力が作用した場合に、補助支持部４１によって脚部４０とブラケット４３との相対変位を抑制できる。この際、補助支持部４１が嵌合によってブラケット４３に組み付けられるので、締結部分を増加して脚部４０とブラケット４３との接続強度の向上を図る場合に比べて、設計の自由度や構成の簡素化を図った上で、脚部４０とブラケット４３との接続強度を確保できる。その結果、天板１１を安定して支持できる。
【００６２】
本実施形態では、ブラケット４３の嵌合凸部１４５が脚部４０の上端キャップ５３内に嵌合される構成とした。
この構成によれば、補助支持部４１に加え、嵌合凸部１４５が上端キャップ５３内に嵌合されることで、脚部４０とブラケット４３との接続強度をより一層高めることができる。
【００６３】
本実施形態では、補助支持部４１、脚本体７７及び嵌合凸部１４５がボルト１５６に共締めされる構成とした。
この構成によれば、脚部４０とブラケット４３との接続強度をより一層高めることができる。
しかも、本実施形態では、ブラケット４３に形成された嵌合凸部１４５が脚本体７７に嵌合される構成であるため、補助支持部４１及び脚本体７７の双方がブラケット４３に嵌合される構成に比べて嵌合部分同士を接近させることができる。その結果、ブラケット４３の小型化を図ることができる。
【００６４】
本実施形態では、補助支持部４１が配線ガイド７８内に嵌合される構成とした。
この構成によれば、補助支持部４１と脚部４０との接続強度を確保できる。そのため、天板１１をより安定して支持できる。また、補助支持部が外部に露出し難くなるので、天板付什器の体裁を向上させることができる。
【００６５】
本実施形態では、配線ガイド７８内において、補助支持部４１とカバー部材４２との間に配線Ｃが案内される構成とした。
この構成によれば、補助支持部４１の嵌合凹部を配線Ｃの配索スペースとしても利用できる。これにより、構成の簡素化を図った上で、天板付什器１の体裁を向上させることができる。
【００６６】
本実施形態のように補助支持部４１を脚本体７７の側面に沿って配置することで、補助支持部４１をＹ方向に広がる板状に形成することができる。これにより、例えば補助支持部４１を棒状等に形成する場合に比べて、脚部４０とブラケット４３とがＸ方向に相対的に変位しようとする外力を分散して支持し易くなる。
【００６７】
本実施形態では、横支持部９２と嵌合凹部１４６の頂壁部とがボルト１６０により締結される構成とした。
この構成によれば、ブラケット４３と補助支持部４１との接続強度を確保できる。そのため、天板１１をより安定して支持できる。
しかも、嵌合凹部１４６内で補助支持部４１がブラケット４３に固定されるので、嵌合凹部１４６とは別に締結箇所を設ける場合に比べてブラケット４３の小型化を図ることができる。
【００６８】
（その他の変形例）
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
上述した実施形態では、天板付什器１としてテーブルを例にした場合について説明したが、この構成のみに限られない。天板付什器は、例えば棚等、少なくとも天板を有する構成であればよい。
上述した実施形態では、脚部４０が床面Ｆに対して傾斜して延在する構成について説明したが、この構成に限られない。脚部４０は、床面Ｆに対して垂直に延在していてもよい。
上述した実施形態では、補助支持部４１が配線ガイド７８内に嵌合される構成について説明したが、この構成に限られない。補助支持部４１は、脚本体７７の側面に沿って固定される構成であればよい。この場合、補助支持部４１は、外部に露出する構成であってもよい。
上述した実施形態では、補助支持部４１が脚本体７７に対して＋Ｘ側に配置される構成について説明したが、この構成に限られない。補助支持部４１は、脚本体７７の任意の側面に固定されていればよい。また、補助支持部４１は、複数設けられていてもよい。
【００６９】
上述した実施形態では、ブラケット４３に設けられた嵌合凸部１４５が脚本体７７（上端キャップ５３）内に嵌合される構成について説明したが、この構成に限られない。例えば、脚本体７７に設けられた嵌合凸部がブラケット４３内（第２嵌合凹部）に嵌合されていてもよい。
上述した実施形態では、本発明に係る連結部として、嵌合凸部１４５を採用した場合について説明したが、この構成に限らない。連結部は、平坦に形成されていてもよい。
【００７０】
上述した実施形態では、横支持部９２及び嵌合凹部１４６の頂壁部がボルト１６０によって固定される構成について説明したが、補助支持部４１は嵌合凹部１４６に嵌合されているだけであってもよい。
【００７１】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００７２】
１…天板付什器
１１…天板
４０…脚部
４１…補助支持部
４２…カバー部材
４３…ブラケット
５３…上端キャップ（第２嵌合凹部）
７７…脚本体
７８…配線ガイド（第３嵌合凹部）
９１…縦支持部
９２…横支持部
１４５…嵌合凸部（連結部）
１４６…嵌合凹部（第１嵌合凹部）
１５６…ボルト（第１締結部材）
１６０…ボルト（第２締結部材）
【図１】
2020116114.tif 000003
【図２】
2020116114.tif 000004
【図３】
2020116114.tif 000005
【図４】
2020116114.tif 000006
【図５】
2020116114.tif 000007
【図６】
2020116114.tif 000008